(57)【要約】【課題】取り付けおよび取り外しが容易な仮設竪樋を提供する。【解決手段】円筒と、上枠板可動部を介して、一対の上枠板の互いの一方の一辺と接続されている一対の上枠板と、上中枠板固定部を介して、中枠板の一方の一辺と前記一対の上枠板の他の一辺と接続されている一対の中枠板と、中下枠板可動部を介して、下枠板の一方の一辺と前記一対の中枠板の他の一辺と接続されている一対の下枠板と、一対の支え枠板の互いの一方の一辺と接続されているとともに、前記支え枠板の他方の一辺と当該円筒内部の円筒内固定領域で接続されている一対の支え枠板とを備えたことを特徴とする仮設竪樋の固定治具を提供する。【選択図】図１
2019132081.tif 000002
【特許請求の範囲】
【請求項１】
ドレインに設置するための仮設竪樋の固定治具において、
円筒と、
一対の上枠板であって、上枠板可動部を介して、当該一対の上枠板の互いの一方の一辺と接続されている一対の上枠板と、
一対の中枠板であって、上中枠板固定部を介して、当該中枠板の一方の一辺と前記一対の上枠板の他の一辺と接続されている一対の中枠板と、
一対の下枠板であって、中下枠板可動部を介して、当該下枠板の一方の一辺と前記一対の中枠板の他の一辺と接続されている一対の下枠板と、
一対の支え枠板であって、当該一対の支え枠板の互いの一方の一辺と接続されているとともに、前記支え枠板の他方の一辺と前記円筒の内部の円筒内固定領域で接続されている一対の支え枠板と、
を備えたことを特徴とする仮設竪樋の固定治具。
【請求項２】
前記上枠板可動部と前記中下枠板可動部とが共に可動するように構成されたことを特徴とする、前記請求項１に記載の固定治具。
【請求項３】
定常状態において、前記一対の上中枠板固定部が為す径は、前記ドレインの直径よりも長いことを特徴とする請求項１記載の固定治具。
【請求項４】
前記中枠板が前記仮設竪樋の固定治具の内側に向かって凹状に形成されたことを特徴とする、請求項１に記載の固定治具。
【請求項５】
更に、前記一対の上枠板に被せるための防塵網を備えたことを特徴とする、請求項１に記載の固定治具。
【請求項６】
請求項１に記載の固定治具を、天井に設置されたドレインに挿入する工程と、
ドレインに挿入された仮設竪樋の中枠板を、ドレインの上端部で支える工程と、
を備えることを特徴とする仮設竪樋の固定治具の固定方法。
【発明の詳細な説明】
【技術分野】
【０００１】
本発明は、ビルなどの建設物の屋上等で排水を行うために好適な仮設竪樋の固定治具に関し、より詳細には、取り付けおよび取り外しが容易な機構を備えた仮設縦樋の固定治具および固定治具の固定方法に関する。
【背景技術】
【０００２】
ビルなどの建設物を施工している最中に、屋上等に溜まった雨水などを排水するために仮設竪樋を設置する。
【０００３】
引用文献１には、外部および内部の係止部材からなる取り付け構造を使って、ドレイン口金に取り付ける仮設竪樋の固定治具が開示されている。引用文献１の仮設竪樋の固定治具は、建設物に取り付けるための構造も複雑であり、また、外部および内部の係止部材をひとつずつ取り外していかないと仮設竪樋を取り外すことができず作業のための時間がかかる。また、引用文献１の固定治具内部の係止部材に、雨風等により流れ込んできた落ち葉やゴミなどが引っかかってしまい、仮設竪樋内で詰まらせてしまう。
【先行技術文献】
【特許文献】
【０００４】
【特許文献１】特開２００１−１７３１７２号
【発明の概要】
【発明が解決しようとする課題】
【０００５】
本発明の一態様によると、取り付けおよび取り外しが容易な仮設竪樋の固定治具を提供することを目的とする。
【０００６】
本発明の別の一態様によると、取り付けた仮設竪樋を使用中にゴミなどが入り込むことを防ぐまたはゴミを除去することが容易な構造を提供することを目的とする。
【課題を解決するための手段】
【０００７】
本発明の一態様によると、ドレインに設置するための仮設竪樋において、円筒と、一対の上枠板であって、上枠板可動部を介して、当該一対の上枠板の互いの一方の一辺と接続されている一対の上枠板と、一対の中枠板であって、上中枠板固定部を介して、当該中枠板の一方の一辺と前記一対の上枠板の他の一辺と接続されている一対の中枠板と、一対の下枠板であって、中下枠板可動部を介して、当該下枠板の一方の一辺と前記一対の中枠板の他の一辺と接続されている一対の下枠板と、一対の支え枠板であって、当該一対の支え枠板の互いの一方の一辺と接続されているとともに、前記支え枠板の他方の一辺と当該円筒内部の接触領域で接続されている一対の支え枠板と、を備えたことを特徴とする仮設竪樋の固定治具を提供する。
【発明の効果】
【０００８】
本発明の一態様によると、仮設竪樋の固定治具の取り付けのみならず取り外しが容易になる。特に、本発明の仮設竪樋の固定治具は、ドレインの下側から引き抜くことによって取り外しができるので、例えば、仮設竪樋内に詰まったゴミなどをすぐに除去することができ、結果的に、建設物を施工する全体的な作業時間を短縮することができる。
【０００９】
本発明の他の目的、特徴及び利点は添付図面に関する以下の本発明の実施例の記載から明らかになるであろう。
【図面の簡単な説明】
【００１０】
【図１】本発明の一実施例による仮設竪樋の固定治具の全体図を示す。
【図２Ａ】本発明の一実施例による仮設竪樋の固定治具をドレインに挿入する前の図を示す。
【図２Ｂ】本発明の一実施例による仮設竪樋の固定治具をドレインに挿入した後の図を示す。
【図３】本発明の一実施例による仮設竪樋の固定治具がドレインに設置された図を示す。
【図４】本発明の一実施例による仮設竪樋の固定治具に、防塵網を設置した図を示す。
【図５】本発明の別の実施例による仮設竪樋の固定治具を示す。
【発明を実施するための形態】
【００１１】
図１は、本発明の一実施例による仮設竪樋の固定治具１００の全体図を示す。本発明の一実施例による仮設竪樋の固定治具１００は、一対の上枠板１１０と、一対の中枠板１２０と、一対の下枠板１３０と、一対の支え枠板１４０と、円筒１６０とを備える。本実施例においては、上枠板１１０、中枠板１２０、下枠板１３０と、支え枠板１４０は、長辺と短辺とからなる長方形の形状であるが、上枠板１１０、中枠板１２０、下枠板１３０と、支え枠板１４０の長辺と短辺の長さは、本発明を実施できる範囲内であれば、任意でよい。
【００１２】
また、上枠板１１０、中枠板１２０、下枠板１３０と、支え枠板１４０、円筒１６０の材料は、耐久性と可撓性を有している材料がよく、ドレインと同じ材料でもよく、例えば、ポリ塩化ビニル（いわゆる塩ビ）のような合成樹脂でもよい。
【００１３】
一対の上枠板１１０と、一対の中枠板１２０と、一対の下枠板１３０と、一対の支え枠板１４０と、円筒１６０との機械的接続関係の詳細について、図１−３を参照しながら、以下に説明する。
【００１４】
一対の上枠板１１０は、互いの一辺（本実施例では短辺）１１１に上枠板可動部１５１を介して接続されている。ここで、上枠板可動部１５１は、上枠板１１０の互いの一辺１１１が軸として可動するように構成されており、例えば、軸受けのような構造でもよく、一対の上枠板１１０を蝶番のような機械的部品で接続してもよく、単に、一枚の板を一辺１１１で物理的に折り曲げて一対の上枠板として可動するように構成されていてもよい。
【００１５】
上枠板１１０の辺１１１に対向する一辺１１２は、中枠板１２０の一辺１２１に上中枠板固定部１５２を介して接続されている。ここで、上中枠板固定部１５２は、上枠板１１０と中枠板１２０とが為す角度β（図２Ａを参照）が一定になるように構成されている。本実施例においては、中枠板１２０と下枠板１３０とが、中下枠板可動部１５３を介して接続されているが、別の実施例においては、中枠板１２０と下枠板１３０とを一枚板で構成し、中下枠固定部に相当するところを所定の角度βで折り曲げるように構成してもよい。
【００１６】
中枠板１２０の辺１２１に対向する一辺１２２は、下枠板１３０の一辺１３１に中下枠板可動部１５３を介して接続されている。ここで、中下枠板可動部１５３は、上枠板可動部１５１と同じように構成されている。
【００１７】
下枠板１３０の辺１３１に対向する辺１３２を含む一部領域は、支え枠板１４０の一辺１４１を含む一部領域に、円筒１６０の内壁の円筒内固定領域１５４で重なるように接続されている。更に、円筒内固定領域１５４よりも上部の領域１５６（辺１３２から辺１３１へ向かう方向にある領域）では、下枠板１３０の一部領域および支え枠板１４０の一部領域が互いに接続されて、円筒内固定領域１５４には接続されないように構成される。このような構成により、下枠板１３０が支え枠板１４０側に傾く（別の言い方をすれば、円筒１６０の内部方向に傾く）ことを容易に構成することができる。本実施例においては、定常状態（仮設竪樋の固定治具１００に対して何ら圧力等を加えない状態）で、一対の上中枠板固定部１５２が為す径ｒ’（図３を参照）が、ドレイン３１０の直径ｒ（図３を参照）よりも長くなるように構成される範囲内で、下枠板１３０の円筒内方向への傾きが許容されるが、別の実施例においては、下枠板１３０は、円筒の軸方向と実質的に平行（すなわち、実質的な傾きが無し）でもよい。
【００１８】
一対の支え枠板１４０は、互いの一辺１４２に支え枠固定部１５５を介して接続されている。一対の支え枠板１４０は、円筒１６０内で山型になるように円筒内固定領域１５４と支え枠板固定部１５０とで接続されている。すなわち、一対の支え枠板１４０の長辺の合計の長さは、円筒１６０の直径よりも長い。なお、別の実施例においては、一対の支え枠板１４０の代わりに、一枚板を用いて、山型ではなく、円弧状になるように構成してもよい。
【００１９】
図２Ａは、本発明の一実施例による仮設竪樋の固定治具１００をドレイン３１０に挿入する前の図を示す。
【００２０】
本実施例の仮設竪樋の固定治具１００をドレイン３１０の下側から挿入しようとすると、仮設竪樋の固定治具１００の上枠板１１０がドレイン３１０の下端部３１１に当たる。このときに、図２Ａに示すように、仮設竪樋の固定治具の両側部から横方向に押す力Ｆがかかり、上枠板可動部１５１と、中下枠板可動部１５３が動き、上枠板１１０が為す角度αが小さくなりα２からα１になる。ここで、α２は、定常状態において、上枠板１１０が為す角度である。このときに、一対の上中枠板固定部１５２が為す径ｒ’（図３を参照）がドレインの枠が為す直径ｒ（図３を参照）よりも短くなるので、ドレイン３１０内の下側から上側へ（ドレイン３１０の下端部３１１から上端部３１２への方向に）仮設竪樋の固定治具１００を挿入することができる。更に、下枠板１３０は、一端が円筒内固定領域１５４に接続されているので、横方向に押す力Ｆに依存して、円筒内内側方向に反る。なお、上中枠板固定部１５２は、上枠板１１０と中枠板１２０とが為す角度βは、ほぼ変化しない。
【００２１】
図２Ｂは、本発明の一実施例による仮設竪樋の固定治具がドレイン３１０に挿入された後の図を示す。
【００２２】
ドレイン内に仮設竪樋の固定治具が挿入された後、仮設竪樋の固定治具１００に対して押された力Ｆの反作用で、下枠板１３０の反りが元に戻る力が働き、定常状態の角度α２（＞α１）まで戻る。ここで、一対の上中枠板固定部１５２が為す径は、ドレインの枠が為す直径よりも長くなるように構成されているので、中枠板１２０がドレイン３１０の上端部３１２に引っかかって、仮設竪樋の固定治具１００が、ぶら下がるような形で、設置される。
【００２３】
図３は、本発明の一実施例による仮設竪樋の固定治具１００が天井の穴に設置された図を示す。仮設竪樋の固定治具１００の下部には、ビニル３２０などを取り付けて、雨水の通り道を構成することができる。
【００２４】
仮設竪樋の固定治具１００を取り外すときは、例えば、円筒１６０を手で押さえて、下方向（ドレイン３１０の上端部３１２から下端部３１１への方向）の力を加える。定常状態では、仮設竪樋の固定治具１００の中枠板１２０を、ドレイン３１０の上端部３１２が支えているが、下方向の力が加わると、仮設竪樋の固定治具の両側部から横方向に押す力Ｆがかかり、上枠板可動部１５１と、中下枠板可動部１５３が動き、上枠板１１０が為す角度αが小さくなりα１になる（図２Ａを参照）。このときに、一対の上中枠板固定部１５２が為す径ｒ’（図３を参照）がドレインの枠が為す直径ｒ（図３を参照）よりも短くなるので、ドレイン３１０内の上側から下側へ（ドレイン３１０の上端部３１２から下端部３１１への方向に）仮設竪樋の固定治具１００を引き抜くことができる。更に、下枠板１３０は、一端が円筒内固定領域１５４に接続されているので、横方向に押す力Ｆに依存して、円筒内内側方向に反る。なお、上中枠板固定部１５２は、上枠板１１０と中枠板１２０とが為す角度βは、ほぼ変化しない。
【００２５】
ドレイン内から仮設竪樋の固定治具が引き抜かれると、仮設竪樋の固定治具１００に対して押された力Ｆの反作用で、下枠板１３０の反りが元に戻る力が働き、当初の角度α２（＞α１）まで戻る。
【００２６】
図４は、本発明の一実施例による仮設竪樋の固定治具に、防塵網が設置された図を示す。
【００２７】
本実施例においては、図４に示すように、上枠板１１０の一部に孔１１３を設けてあると共に、防塵網２００には取り付け棒２１０が取り付け部２２０で設けられている。好ましくは、防塵網２００を、ドレインの上端部３１２より上側の上枠板１１０に被せるように設置する。この取り付け棒２１０を上枠板１１０の孔１１３に通すことにより、防塵網２００を仮設竪樋の固定治具１００に設置することができる。
【００２８】
防塵網２００を設置することにより、仮設竪樋の固定治具１００の上部から、落ち葉やゴミなどが雨水と一緒に流れ込んできても、雨水のみが仮設竪樋の固定治具１００の内部を通り、防塵網２００で落ち葉やゴミなどを止めることができる。
【００２９】
図５は、仮設竪樋の別の実施例を示す。中枠板１２０が、仮設竪樋の固定治具１００の内側に向かって凹状に形成されている。このように形成することにより、仮設竪樋の固定治具１００が、天井３００に安定して固定することができる。凹状の中枠板１２０が天井の上端部３１２に対して、緩やかな角度で接触することができるからである。
【００３０】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００３１】
１００仮設竪樋の固定治具、１１０上枠板、１１３孔、１２０中枠板、１３０下枠板、１４０支え枠板、１５１上枠板可動部、１５２上中枠可動部、１５３中下枠板可動部、１５４円筒内固定領域、１５５支え枠固定部、１５６上部領域、１６０円筒、２００防塵網、２１０取り付け棒、２２０取り付け部、３００天井、３１０ドレイン、３１１ドレインの下端部、３１２ドレインの上端部、３２０ビニル雨路
【図１】
2019132081.tif 000003
【図２Ａ】
2019132081.tif 000004
【図２Ｂ】
2019132081.tif 000005
【図３】
2019132081.tif 000006
【図４】
2019132081.tif 000007
【図５】
2019132081.tif 000008
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
ドレインに設置するための仮設竪樋の固定治具において、
円筒と、
一対の上枠板であって、前記円筒の外部にある上枠板可動部を介して、当該一対の上枠板の互いの一方の一辺と接続されている一対の上枠板と、
一対の中枠板であって、前記円筒の外部にある上中枠板固定部を介して、当該中枠板の一方の一辺と前記一対の上枠板の他の一辺と接続されている一対の中枠板と、
一対の下枠板であって、中下枠板可動部を介して、当該下枠板の一方の一辺と前記一対の中枠板の他の一辺と接続されていると共に前記下枠板の他の一辺が前記円筒の内壁の円筒内固定領域で接続されている一対の下枠板と、
一対の支え枠板であって、当該一対の支え枠板の互いの一方の一辺と接続されているとともに、前記支え枠板の他方の一辺と前記円筒内固定領域で接続されている一対の支え枠板と、
を備え、
定常状態において、前記一対の上中枠板固定部が為す径は、前記ドレインの直径よりも長いことを特徴とする仮設竪樋の固定治具。
【請求項２】
前記上枠板可動部と前記中下枠板可動部とが共に可動するように構成されたことを特徴とする、前記請求項１に記載の固定治具。
【請求項３】
前記中枠板が前記仮設竪樋の固定治具の内側に向かって凹状に形成されたことを特徴とする、請求項１に記載の固定治具。
【請求項４】
更に、前記一対の上枠板に被せるための防塵網を備えたことを特徴とする、請求項１に記載の固定治具。
【請求項５】
請求項１に記載の固定治具を、天井に設置されたドレインに挿入する工程と、
ドレインに挿入された仮設竪樋の中枠板を、ドレインの上端部で支える工程と、
を備えることを特徴とする仮設竪樋の固定治具の固定方法。